(57)【要約】【課題】所望の埋め込み性能を得ることができる農作業機を提供する。【解決手段】農作業機１は、回転しながら耕耘作業をする耕耘体５と、耕耘体５の後方で整地作業をする整地体８とを備える。耕耘体５と整地体８との間には、夾雑物を土の中に埋め込むスプリングレーキ体21を配設する。スプリングレーキ体21は、上方に向って凸状に湾曲する湾曲板状部31を有する。湾曲板状部31の基端側から被取付部32が下方に向って突出し、湾曲板状部31の先端側から埋め込み棒状部33が下方に向って突出する。【選択図】図１
2007116923.tif 000002
【特許請求の範囲】
【請求項１】
回転しながら耕耘作業をする耕耘体と、
この耕耘体の後方で整地作業をする整地体と、
前記耕耘体と前記整地体との間に配設され、夾雑物を土の中に埋め込むスプリングレーキ体とを備え、
前記スプリングレーキ体は、
上方に向って凸状に湾曲する湾曲板状部と、
この湾曲板状部の基端側から下方に向って突出する被取付部と、
前記湾曲板状部の先端側から下方に向って突出する埋め込み棒状部とを有する
ことを特徴とする農作業機。
【請求項２】
埋め込み棒状部の長手方向中間部分には、この長手方向中間部分以外の部分に比べて変形容易な易変形部分が形成されている
ことを特徴とする請求項１記載の農作業機。
【発明の詳細な説明】
【技術分野】
【０００１】
本発明は、所望の埋め込み性能が得られる農作業機に関するものである。
【背景技術】
【０００２】
従来、例えば回転しながら耕耘作業をする耕耘体と、耕耘体の後方で整地作業をする整地体と、耕耘体と整地体との間に配設され稲わら等の夾雑物を土の中に埋め込む複数本の棒状のスプリングレーキ体とを備えた代掻装置等の農作業機が知られている（例えば、特許文献１参照）。
【特許文献１】特開平６−１６５６０５号公報
【発明の開示】
【発明が解決しようとする課題】
【０００３】
しかしながら、上記従来の農作業機では、スプリングレーキ体が棒状部のみで構成されているため、スプリングレーキ体が弾性変形しにくく、所望の埋め込み性能が得られないおそれがある。
【０００４】
本発明は、このような点に鑑みなされたもので、所望の埋め込み性能を得ることができる農作業機を提供することを目的とする。
【課題を解決するための手段】
【０００５】
請求項１記載の農作業機は、回転しながら耕耘作業をする耕耘体と、この耕耘体の後方で整地作業をする整地体と、前記耕耘体と前記整地体との間に配設され、夾雑物を土の中に埋め込むスプリングレーキ体とを備え、前記スプリングレーキ体は、上方に向って凸状に湾曲する湾曲板状部と、この湾曲板状部の基端側から下方に向って突出する被取付部と、前記湾曲板状部の先端側から下方に向って突出する埋め込み棒状部とを有するものである。
【０００６】
請求項２記載の農作業機は、請求項１記載の農作業機において、埋め込み棒状部の長手方向中間部分には、この長手方向中間部分以外の部分に比べて変形容易な易変形部分が形成されているものである。
【発明の効果】
【０００７】
請求項１に係る発明によれば、スプリングレーキ体が、上方に向って凸状に湾曲する湾曲板状部と湾曲板状部の基端側から下方に向って突出する被取付部と湾曲板状部の先端側から下方に向って突出する埋め込み棒状部とを有するため、スプリングレーキ体が湾曲板状部で弾性変形しやすく、所望の埋め込み性能を得ることができる。
【０００８】
請求項２に係る発明によれば、埋め込み棒状部の長手方向中間部分には、この長手方向中間部分以外の部分に比べて変形容易な易変形部分が形成されているため、スプリングレーキ体が湾曲板状部と埋め込み棒状部の易変形部分とで弾性変形しやすく、所望の埋め込み性能を確実に得ることができる。
【発明を実施するための最良の形態】
【０００９】
本発明の農作業機の一実施の形態を図面を参照して説明する。
【００１０】
図１において、１は農作業機で、この農作業機１は、例えば走行車であるトラクタ（図示せず）の後部の３点リンク部（作業機昇降支持装置）に連結され、トラクタの走行により前方に移動しながら代掻作業をする代掻装置である。
【００１１】
農作業機１は、トラクタの後部の３点リンク部に連結される機体２を備えている。
【００１２】
機体２の左右のチェーンケース部３およびブラケット部間には、入力軸４に接続されたギア、シャフトおよびチェーン等からなる伝動手段から動力を受けることにより所定方向に回転しながら耕耘作業をするロータリ式の耕耘体５が回転可能に設けられている。耕耘体５は、左右方向長手状の耕耘軸およびこの耕耘軸に放射状に設けられた耕耘爪を有している。
【００１３】
機体２の耕耘カバー部７の後端部には、耕耘体５の後方で整地作業をする整地体８が上下方向に回動可能に設けられている。整地体８は、機体２の耕耘カバー部７の後端部に弾性板であるゴム板10を介して上下方向に回動可能に設けられた左右方向長手状の第１整地板（均平板）11を有している。第１整地板11の下端部には、左右方向長手状の第２整地板（レーキ）12が左右方向に延びる軸13を中心として上下方向に回動可能に設けられている。機体２と第１整地板11とが第１連結手段15にて連結され、機体２と第２整地板12とが第２連結手段16にて連結されている。
【００１４】
また、農作業機１は、耕耘体５と整地体８との間に配設され稲わら等の夾雑物を圃場の土の中に埋め込む弾性変形可能なスプリングレーキ体21を備えている。スプリングレーキ体21は、整地体８の所定部位、例えば第１整地板11の上端部に、取付板22を介して取付具（ボルトおよびナット等）23にて取り付けられている。
【００１５】
スプリングレーキ体21は、図２に示すように、例えば左右方向長手状の取付板22の複数箇所に形成された折曲取付部24および切起し取付部25に取り付けられた複数の二股状のレーキ形成部材26にて構成されている。
【００１６】
複数のレーキ形成部材26の各々は、金属或いは合成樹脂等の弾性材料にて一体に形成されたもので、図２および図３に示されるように、上方に向って凸状に湾曲する略Ｕ字状の湾曲板状部31と、湾曲板状部31の基端側（整地体８側の部分）から下方に向って突出し取付板22の切起し取付部25に取り付けられた板状の被取付部32と、湾曲板状部31の先端側から下方に向って突出し夾雑物を圃場の土の中に埋め込む細長い丸棒状の埋め込み棒状部33とを有している。
【００１７】
被取付部32は、湾曲板状部31の基端部に一体に連設され、両被取付部32の下端部同士が１つの連結板状部34にて一体に連結され、この連結板状部34が取付板22の折曲取付部24に取り付けられている。
【００１８】
また、埋め込み棒状部33は、湾曲板状部31の先端部に一体に連設され、この埋め込み棒状部33の下端部が自由端部となっている。埋め込み棒状部33は、例えば直線棒状部分36と湾曲棒状部分37とにて構成されている。なお、湾曲板状部31の厚さ寸法は埋め込み棒状部33の丸断面形状の直径寸法より小さい値（例えば湾曲板状部31の厚さ寸法の半分以下）であり、湾曲板状部31は埋め込み棒状部33に比べて弾性変形しやすくなくなっている。
【００１９】
次に、上記農作業機１の作用等を説明する。
【００２０】
農作業機１をトラクタの後部の３点リンク部に連結し、農作業機１をトラクタの走行により圃場上を移動させると、耕耘体５の耕耘爪にて耕耘作業が行われ、整地体８の第１整地板11および第２整地板12にて耕耘作業が行われる。
【００２１】
このとき、耕土中の稲わら等の夾雑物は、スプリングレーキ体21の複数本の埋め込み棒状部33によって圃場表面下の土の中に埋め込まれる。
【００２２】
そして、この農作業機１によれば、スプリングレーキ体21が、上方に向って凸状に湾曲する湾曲板状部31と湾曲板状部31の基端側から下方に向って突出し整地体８に取り付けられる被取付部32と湾曲板状部31の先端側から下方に向って突出し夾雑物を土の中に埋め込む埋め込み棒状部33とを有するため、スプリングレーキ体21の埋め込み棒状部33に耕土中の稲わら等の夾雑物が接触した際に、スプリングレーキ体21が湾曲板状部31で弾性変形しやすく、所望の埋め込み性能を得ることができ、よって、耕土中の稲わら等の夾雑物を適切に土の中に埋め込むことができる。
【００２３】
なお、上記実施の形態では、スプリングレーキ体21の湾曲板状部31が上方に向って凸状に湾曲する略Ｕ字状である構成について説明したが、例えば図４に示すように、スプリングレーキ体21の湾曲板状部31が上方に向って凸状に湾曲する略Ｖ字状の構成でもよい。
【００２４】
また、図５に示すように、スプリングレーキ体21の埋め込み棒状部33を丸断面形状の直線棒状部分36のみで形成してもよい。
【００２５】
さらに、図６に示すように、スプリングレーキ体21の埋め込み棒状部33の長手方向中間部分に、この長手方向中間部分以外の部分に比べて弾性変形容易な板状のつぶし部である易変形部分40を形成し、スプリングレーキ体21が湾曲板状部31と易変形部分40との２箇所で弾性変形しやすいようにしてもよい。易変形部分40を形成する位置の変更および易変形部分40の厚さ寸法の変更によって、スプリングレーキ体21の弾性を簡単に調整することも可能である。なお、易変形部分40は、埋め込み棒状部33の一部を塑性変形して形成したものには限定されず、埋め込み棒状部33の一部を切り欠いて形成したり、材質を変えて形成したりしてもよい。
【００２６】
また、スプリングレーキ体21は、二股状をなす複数のレーキ形成部材26にて構成されたものには限定されず、例えば図７および図８に示すように、弾性板部材41と、この弾性板部材41の棒取付部42に取り付けられた二股状をなす複数の棒状部材43とにて構成されたものでもよい。この構成では、弾性板部材41が上方に向って凸状に湾曲する略Ｕ字状の湾曲板状部31と湾曲板状部31の基端側（整地体８側の部分）から下方に向って突出し整地体８に取り付けられる板状の被取付部32とを有し、棒状部材43が湾曲板状部31の先端側から下方に向って突出し夾雑物を圃場の土の中に埋め込む細長い丸棒状の埋め込み棒状部33を有している。そして、この図７および図８に示す構成でも、図１ないじ図３等に示す構成と同様、スプリングレーキ体21の埋め込み棒状部33に耕土中の稲わら等の夾雑物が接触した際に、スプリングレーキ体21が湾曲板状部31で弾性変形しやすく、所望の埋め込み性能を得ることができ、よって、耕土中の稲わら等の夾雑物を適切に土の中に埋め込むことができる。
【００２７】
さらに、図示しないが、スプリングレーキ体21の埋め込み棒状部33の断面形状は、三角、四角、六角等の断面角形のものでもよく、埋め込み棒状部33の本数は任意である。
【図面の簡単な説明】
【００２８】
【図１】本発明の農作業機の一実施の形態を示す側面図である。
【図２】同上農作業機のスプリングレーキ体を示す正面図である。
【図３】同上スプリングレーキ体を示す側面図である。
【図４】本発明の他の実施の形態のスプリングレーキ体を示す側面図である。
【図５】本発明のさらに他の実施の形態のスプリングレーキ体を示す側面図である。
【図６】本発明のさらに他の実施の形態のスプリングレーキ体を示す側面図である。
【図７】本発明のさらに他の実施の形態のスプリングレーキ体を示す正面図である。
【図８】同上スプリングレーキ体を示す側面図である。
【符号の説明】
【００２９】
１    農作業機
５    耕耘体
８    整地体
21    スプリングレーキ体
31    湾曲板状部
32    被取付部
33    埋め込み棒状部
40    易変形部分
【図１】
2007116923.tif 000003
【図２】
2007116923.tif 000004
【図３】
2007116923.tif 000005
【図４】
2007116923.tif 000006
【図５】
2007116923.tif 000007
【図６】
2007116923.tif 000008
【図７】
2007116923.tif 000009
【図８】
2007116923.tif 000010